(57)【要約】【課題】簡単かつコンパクトな構成を有し、低価格かつ省エネルギー型のオゾン発生装置を備えた冷蔵庫を提供する。【解決手段】第１の冷蔵室２、第２の冷蔵室３、第１の冷気通路１０、第１の冷却器１１及び第１のファン１２から冷蔵ゾーンが構成され、第１の冷却器で生成された冷気が冷蔵ゾーン内を循環する。第１の冷凍室２、第２の冷凍室５、第２の冷気通路１３、第２の冷却器１４及び第２のファン１５から冷凍ゾーンが構成され、第２の冷却器で生成された冷気が冷凍ゾーン内を循環する。第１の冷蔵室内及び第１の冷凍室内にオゾン発生装置１６が配置される。オゾン発生装置は、複数の通気孔を備え、異極像結晶を収容するケーシングを有する。庫内の温度変化に伴う異極像結晶の温度昇降により、ケーシング内の異極像結晶の周囲の大気をオゾン化し、生成したオゾンを庫内の冷気循環に伴ってケーシングの通気孔を通じて庫内に拡散させる。【選択図】図１
2010175129.tif 000002
【特許請求の範囲】
【請求項１】
少なくとも１つの冷蔵室と、
前記冷蔵室に設けられた給気口および排気口と、
前記冷蔵室の前記給気口および前記排気口に接続された冷気循環用の冷気通路と、
冷気通路内に配置された冷却器と、
前記冷気通路内に配置され、前記冷却器によって生成された冷気を前記冷蔵室および前記冷気通路の間において循環させるファンと、を備えた冷蔵庫において、
庫内に配置された少なくとも１つのオゾン発生装置を備え、前記オゾン発生装置が、
少なくとも１個の異極像結晶と、
複数の通気孔を備え、前記異極像結晶を収容するケーシングと、を有し、
庫内の温度変化に伴う前記異極像結晶の温度昇降により、前記ケーシング内における前記異極像結晶の周囲の空気をオゾン化し、生成したオゾンを庫内の冷気循環に伴って前記ケーシングの前記通気孔を通じて庫内に拡散させることを特徴とする冷蔵庫。
【請求項２】
前記オゾン発生装置は、前記冷蔵室内または前記冷気通路内またはその両方に置かれ、または前記冷蔵室の壁面または前記冷気通路の壁面またはその両方に固定されることを特徴とする請求項１に記載の冷蔵庫。
【請求項３】
前記オゾン発生装置は、前記ファンの吹出口または吸込口またはその両方に取り付けられることを特徴とする請求項１または請求項２に記載の冷蔵庫。
【請求項４】
前記オゾン発生装置は、前記冷蔵室の前記給気口または前記排気口またはその両方に取り付けられることを特徴とする請求項１〜請求項３のいずれかに記載の冷蔵庫。
【請求項５】
前記複数の通気孔はメッシュ状に形成されていることを特徴とする請求項１〜請求項４のいずれかに記載の冷蔵庫。
【請求項６】
前記オゾン発生装置は、前記異極像結晶の温度を昇降させる温度昇降手段をさらに備えたことを特徴とする請求項１〜請求項５のいずれかに記載の冷蔵庫。
【発明の詳細な説明】
【技術分野】
【０００１】
本発明は、冷蔵庫（冷凍庫および冷凍冷蔵庫を含む。以下同じ）に関し、特に、オゾン雰囲気による庫内空気清浄機能を備えた冷蔵庫に関する。
【背景技術】
【０００２】
従来、冷蔵庫においては、庫内の壁面やトレー等における細菌の繁殖が問題となっており、このため、オゾン発生装置を内蔵し、庫内にオゾン雰囲気を保持して細菌の繁殖を抑制することができる冷蔵庫がいくつか提案されている。
【０００３】
この種の冷蔵庫としては、例えば、オゾン発生電極と、このオゾン発生電極に高電圧を印加する高電圧発生ユニットと、からなるオゾン発生装置を備えたもの（例えば、特許文献１参照）や、放電灯からなるオゾン発生装置を備えたもの（例えば、特許文献２参照）がある。
【０００４】
しかし、これらのオゾン発生装置は、高圧電源を必要とし、構造が複雑でコンパクト化が容易ではなく、また、高価で、電力消費量が多いという欠点を有している。
さらには、従来のオゾン発生装置によれば、比較的高濃度のオゾンが発生するので、未使用のオゾンが庫内に残留すると、扉の開放時に人体に吸引された場合に人体に有害になる。このため、未使用のオゾンを除去する装置を庫内に取り付け、あるいは、扉の開放時にオゾン発生装置の電源を切る等して安全性を確保する必要があった。
【先行技術文献】
【特許文献】
【０００５】
【特許文献１】特開２００１−９１１４６号公報
【特許文献２】特開平５−１１３２８５号公報
【発明の概要】
【発明が解決しようとする課題】
【０００６】
したがって、本発明の課題は、簡単かつコンパクトな構成を有し、低価格かつ省エネルギー型のオゾン発生装置を備えた冷蔵庫を提供することにある。
本発明の別の課題は、冷蔵庫内に、人体に悪影響を及ぼさないような低レベルのオゾン雰囲気を維持できるようにすることにある。
【課題を解決するための手段】
【０００７】
上記課題を解決するため、本発明は、少なくとも１つの冷蔵室と、前記冷蔵室に設けられた給気口および排気口と、前記冷蔵室の前記給気口および前記排気口に接続された冷気循環用の冷気通路と、冷気通路内に配置された冷却器と、前記冷気通路内に配置され、前記冷却器によって生成された冷気を前記冷蔵室および前記冷気通路の間において循環させるファンと、を備えた冷蔵庫において、庫内に配置された少なくとも１つのオゾン発生装置を備え、前記オゾン発生装置が、少なくとも１個の異極像結晶と、複数の通気孔を備え、前記異極像結晶を収容するケーシングと、を有し、庫内の温度変化に伴う前記異極像結晶の温度昇降により、前記ケーシング内における前記異極像結晶の周囲の空気をオゾン化し、生成したオゾンを庫内の冷気循環に伴って前記ケーシングの前記通気孔を通じて庫内に拡散させることを特徴とする冷蔵庫を構成したものである。
ここで、および以下の記載中においては、「冷蔵庫」には「冷蔵庫」および「冷凍冷蔵庫」も含み、「冷凍庫」を意味する場合には、「冷蔵室」は「冷凍室」を意味し、「冷凍冷蔵庫」を意味する場合には、「冷蔵室」は「冷蔵室および冷凍室」を意味するものとする。
【０００８】
上記構成において、前記オゾン発生装置は、冷蔵庫の庫内の任意の場所に配置されればよく、例えば、前記冷蔵室内または前記冷気通路内またはその両方に置かれてもよいし、または前記冷蔵室の壁面または前記冷気通路の壁面またはその両方に固定されてもよいし、また、前記ファンの吹出口または吸込口またはその両方に取り付けられてもよいし、また、前記冷蔵室の前記給気口または前記排気口またはその両方に取り付けられてもよい。
【０００９】
上記構成において、前記複数の通気孔をメッシュ状に形成してもよいし、前記オゾン発生装置に前記異極像結晶の温度を昇降させる温度昇降手段を備えてもよい。
【発明の効果】
【００１０】
本発明によれば、冷蔵庫の庫内の温度変化に伴う異極像結晶の温度昇降の繰り返しによって異極像結晶の周囲に高電界が発生するとともに、異極像結晶中から軟Ｘ線が発生し、オゾン発生装置のケーシング内における異極像結晶の周囲の空気中の酸素分子が、これらの高電界および軟Ｘ線との相互作用によってオゾン化される。発生したオゾンは庫内の冷気循環に伴ってケーシングの通気孔を通じて庫内に拡散され、庫内にオゾン雰囲気が維持される。そして、このオゾン雰囲気によって、庫内の空気が浄化され、庫内表面が殺菌されて庫内表面にカビの発生することが防止される。この場合、オゾンは、主として空気清浄作用を奏し、細菌の繁殖を抑制可能な低レベルのものであるから、冷蔵庫の扉の開閉時等に庫内から外部に漏れるオゾンが人体に悪影響を及ぼすことはない。
【００１１】
また、本発明によれば、異極像結晶から発生する高電界によって、異極像結晶の周囲を通過する空気中の細菌の一部を直接死滅させ、また、異極像結晶の周囲を通過する有害ガスを分解し無害化することもできる。
【００１２】
そして、本発明によれば、簡単かつコンパクトで安価な構成において庫内の冷蔵ゾーンの空気清浄を行うオゾン発生装置を備えた冷蔵庫を提供することができる。しかも、このオゾン発生装置は庫内の温度変化のみによって作動するので、オゾン発生装置の消費電力はゼロである。
【図面の簡単な説明】
【００１３】
【図１】本発明の好ましい実施例による冷蔵庫の内部構造を示す縦断面図である。
【図２】図１のオゾン発生装置の構成を示す斜視図である。
【図３】オゾン発生装置の別の実施例の構成を示す斜視図である。
【図４】オゾン発生装置のさらに別の実施例の構成を示す斜視図である。
【図５】オゾン発生装置のさらに別の実施例の構成を示す図であり、（Ａ）は外観を示す斜視図であり、（Ｂ）は内部構造を示す斜視図である。
【図６】実験１で使用したオゾン発生装置の構成を示す図である。
【図７】実験中のオゾン発生装置の冷蔵庫内における位置を示す写真である。
【図８】実験１の測定結果を示すグラフである。
【図９】実験２で使用したオゾン発生装置の構成を示す図である。
【図１０】実験２の測定結果を示すグラフである。
【発明を実施するための形態】
【００１４】
以下、添付図面を参照して本発明の好ましい実施例について説明する。図１は、本発明の１実施例による冷蔵庫の縦断面図である。図１を参照して、この実施例では、冷蔵庫１は冷凍冷蔵庫として構成され、上から順に、第１および第２の冷蔵室２、３、および第１および第２の冷凍室４、５を有している。
なお、本発明は冷凍冷蔵庫に限定されるものではなく、冷蔵庫または冷凍庫として構成することもできる。
【００１５】
第１の冷蔵室２の前面開口部には断熱扉６が取り付けられている。第２の冷蔵室３は野菜室として機能し、第２の冷蔵室３には、断熱扉の代わりに引出し７が設けられている。第１および第２の冷凍室４、５にも、断熱扉の代わりに引出し８、９が設けられている。
第１の冷蔵室２には給気口２ａが設けられ、第１およびの第２冷蔵室２、３は、仕切壁２ｂに設けられた通気口２ｃによって連通し、第２の冷蔵室３には給気口３ａおよび排気口３ｂが設けられている。第１の冷蔵室２の給気口２ａ、並びに、第２の冷蔵室３の給気口３ａおよび排気口３ｂには、冷気循環用の第１の冷気通路１０が接続され、第１の冷気通路１０には、第１の冷却器１１が配置されている。第１の冷却通路１０には、さらに、第１の冷却器１１によって生成された冷気を、第１および第２の冷蔵室２、３と、第１の冷気通路１０の間において循環させる第１のファン１２が配置されている。
【００１６】
そして、第１の冷蔵室２、第２の冷蔵室３、第１の冷気通路１０、第１の冷却器１１および第１のファン１２から、冷蔵温度帯に維持される冷蔵ゾーンが構成され、第１の冷却器１１で生成された冷気が冷蔵ゾーン内を循環するようになっている。
【００１７】
第１の冷凍室４には給気口４ａが設けられ、第１および第２の冷凍室４、５は、仕切壁４ｂに設けられた通気口４ｃによって連通し、第２の冷凍室５には排気口５ｂが設けられている。第１の冷凍室４の給気口４ａおよび第２の冷凍室５の排気口５ａには、第２の冷気通路１３が接続され、第２の冷気通路１３には、第２の冷却器１４が配置されている。第２の冷気通路１３には、さらに、第２の冷却器１４によって生成された冷気を、第１および第２の冷凍室４、５と、第２の冷気通路１３の間において循環させる第２のファン１５が配置されている。
【００１８】
そして、第１の冷凍室２、第２の冷凍室５、第２の冷気通路１３、第２の冷却器１４および第２のファン１５から、冷凍温度に維持される冷凍ゾーンが構成され、第２の冷却器１４で生成された冷気が冷凍ゾーン内を循環するようになっている。
【００１９】
また、冷蔵庫１の庫内には、少なくとも１つのオゾン発生装置１６が配置されている。この実施例では、オゾン発生装置１６は、第１の冷蔵室２内と、第１の冷凍室３内に置かれている。
図２は、オゾン発生装置の構成を示す斜視図である。オゾン発生装置１６は、図２に示すように、ケーシング１７と、ケーシング１７内に収容された異極像結晶１８とからなっている。この実施例では、ケーシング１７は、扁平な円筒状に形成され、壁の全体にわたってメッシュ状の通気孔１９を有している。この場合、通気孔１９は、壁の全体にわたって設けられている必要はなく、例えば、上端壁１７ａにだけ設けられていてもよいし、周壁１７ｂにだけ設けられていてもよい。また、通気孔１９は、ケーシング１７の壁に複数個設けられておればよく、メッシュ状でなくてもよい。
また、異極像結晶１８としては、ＬｉＮｂＯ３やＬｉＴａＯ３等の公知の異極像結晶を用いることができる。異極像結晶１８の形状や大きさは限定されない。
【００２０】
次に、オゾン発生装置１６の動作方法を説明する。冷蔵庫の動作中、庫内の温度は、予め設定された温度を挟んで上下に変動を繰り返している。この庫内の温度変化に伴って異極像結晶１８が温度昇降を繰り返し、それによって異極像結晶１８の周囲に高電界が発生するとともに、異極像結晶１８から軟Ｘ線が発生する。そして、ケーシング１７内における異極像結晶１８の周囲の空気中の酸素と、これらの高電界および軟Ｘ線との相互作用によってオゾンが発生する。
【００２１】
第１の冷蔵室２内に置かれたオゾン発生装置１６については、ケーシング１７内で発生したオゾンは、冷蔵ゾーン内の冷気循環に伴って、ケーシング１７の通気孔１９から第１の冷蔵室２内に拡散された後、順次、第２の冷蔵室３内および第１の冷気通路１０内に拡散され、冷蔵ゾーンにオゾン雰囲気が維持される。
また、第１の冷凍室４内に置かれたオゾン発生装置１６については、ケーシング１７内で発生したオゾンは、冷凍ゾーン内の冷気循環に伴って、ケーシング１７の通気孔１９から第１の冷凍室４内に拡散された後、順次、第２の冷凍５内および第２の冷気通路１３内に拡散され、冷凍ゾーンにオゾン雰囲気が維持される。
【００２２】
このオゾン雰囲気によって、庫内（冷蔵ゾーンおよび冷凍ゾーン）の空気が浄化され、さらに庫内表面が殺菌されて庫内表面にカビの発生することが防止される。この場合、オゾンは、主として空気清浄作用を奏し、細菌の繁殖を抑制可能な低レベルのものであるから、冷蔵庫の扉の開閉時等に庫内から外部に漏れるオゾンが人体に悪影響を及ぼすことはない。
【００２３】
また、異極像結晶１８から発生する高電界によって、異極像結晶１８の周囲を通過する空気中の細菌の一部を直接死滅させ、また、異極像結晶の周囲を通過する有害ガスを分解し無害化することもできる。
【００２４】
この実施例によるオゾン発生装置１６は、簡単かつコンパクトな構成を有し、非常に安価である。しかも、このオゾン発生装置１６は庫内の温度変化のみによって作動するので、オゾン発生装置１６の消費電力はゼロである。
【００２５】
以上、本発明の１実施例について説明したが、本発明の構成は、上記実施例に限定されない。例えば、上記実施例では、オゾン発生装置１６は、第１の冷蔵室２内および第１の冷凍室４内に置かれたが、オゾン発生装置１６は、冷蔵庫１の庫内の任意の場所に少なくとも１つ配置されればよい。すなわち、オゾン発生装置１６を、冷蔵室２、３および冷凍室４、５内に置かずに、冷気通路１０、１３内に置いてもよいし、オゾン発生装置１６を、冷蔵室２、３および冷凍室４、５と、冷気通路１０、１３の両方に置いてもよい。また、オゾン発生装置１６を、冷蔵室２、３および冷凍室４、５の壁面や、冷気通路１０、１３の壁面に固定してもよい。
あるいは、オゾン発生装置１６を、ファン１２、１５の吹出口または吸込口またはその両方に取り付けてもよいし、冷蔵室２、３および冷凍室４、５の給気口２ａ、３ａ、４ａまたは排気口３ｂ、５ａまたはその両方に取り付けてもよい。
【００２６】
図３は、第１および第２のファン１２、１５の吹出口に取り付けるのに適したオゾン発生装置の構成を示す斜視図である。図３の実施例は、図２の実施例と、ケーシングの構成のみが異なるので、図３中、図２に示した構成要素と同じ構成要素には同一番号を付して説明を省略する。また、図３では、第１のファン１２へのオゾン発生装置１６の取り付けについて図示したが、第２のファン１５についても同様である。
図３を参照して、ケーシング１７’の上端壁１７ａおよび下端壁１７ｂにメッシュ状の通気孔１９が設けられ、さらに、ケーシング１７の下端壁１７ｂには、外周に沿って環状壁１７ｃが立設されている。そして、ケーシング１７’がこの環状壁１７ｃを通じて第１のファン１２に嵌め込み固定されることによって、オゾン発生装置１６は、ケーシング１７’の下端面１７ｂが第１のファン１２の吹出口１２ａに対向した状態で第１のファン１２に取り付けられる。
【００２７】
こうして、庫内の温度変化に伴う異極像結晶１８の温度昇降により、異極像結晶の周囲に高電界が発生するとともに、異極像結晶１８から軟Ｘ線が発生する。それと同時に、第１のファン１２の吹出口１２ａから吹き出した冷気が、下端面１２ｂからケーシング１７内に導入され、ケーシング１７内を通過した後、上端面１２ａからケーシング１７の外部に排出され、この間に異極像結晶１８の周囲を通過する冷気がオゾン化され、生成されたオゾンは、庫内に拡散される。
この実施例においても図１〜図２の実施例と同様の効果が得られるが、それに加えて、この実施例によれば上記実施例よりもオゾンの発生効率が向上する。
【００２８】
図４は、オゾン発生装置の別の実施例の構成を示す斜視図である。図４の実施例は、図２の実施例と異極像結晶の態様が異なるだけであるから、図４中、図２に示した構成要素と同じ構成要素には同一番号を付して説明を省略する。図４に示すように、この実施例では、多数個の異なる形状の小さい異極像結晶１８’がケーシング１７内に収容されている。
この実施例も、図１〜図２の実施例と同様の効果が得られる。
【００２９】
図５は、オゾン発生装置のさらに別の実施例の構成を示す図であり、（Ａ）は外観を示す斜視図であり、（Ｂ）は内部構造を示す斜視図である。この実施例では、オゾン発生装置１６”は、図５に示すように、円筒形状を有しかつ壁の全体にわたって一様に通気孔２２が設けられたケーシング２１と、ケーシング２１内に収容された異極像結晶２３と、ケーシング２１内に収容され、異極像結晶２３を強制的に加熱・冷却するための、電熱線２４を内蔵したヒータを備えている。この場合、異極像結晶２３を加熱・冷却する手段として、ヒータの代わりにペルチェ素子を用いることもできる。
【００３０】
図示はしないが、ケーシング２１の外部には、ヒータ（電熱線２４）に電力を供給する、例えば電池からなる電源部と、電源部からヒータ（電熱線２４）に供給される電流をＯＮ／ＯＦＦする制御部が配置される。そして、ケーシング２１の壁を貫通して外側にのびる電熱線２４のリード線２４ａ、２４ｂが、制御部に接続されるようになっている。
また、異極像結晶２３の表面に温度センサー２５が配置され、制御部は、温度センサー２５の検出信号に基づき、ヒータ（電熱線２４）の動作を制御し得るようになっている。
【００３１】
この実施例によれば、オゾン発生装置１６”は、異極像結晶２３を強制的に加熱・冷却するためのヒータ（電熱線２４）を備えており、ヒータ（電熱線２４）を動作させることで、より大きな温度勾配で異極像結晶２３を温度昇降させることができる。よって、この実施例は、冷蔵庫の庫内の温度変化だけでは十分なオゾン量が得られないような場合に有効である。
なお、この実施例の場合にも、オゾン発生装置１６”の構造は簡単かつコンパクトであり、消費電力はゼロではないが、従来の高圧電源を用いるものと比べると消費電力は極めて小さい。
【００３２】
次に、本発明によるオゾン発生装置の作用効果を確認すべく実証実験を行った。
（実験１）
図５を参照して、実験１では、内径８０ｍｍ、高さ１０ｍｍの内部空間を有するテフロン（登録商標）製の円筒状ケーシング３１内に、直径４０ｍｍ、厚さ３ｍｍのＬｉＴａＯ３の単結晶３２を収容して、オゾン発生装置３０を構成した。ケーシング３１の側壁底部に、ケーシング３１を安定に設置するためのフランジ３４を設けた。また、ケーシング３１の側壁には、互いに対向する位置に穴３１ａ、３１ｂを設け、これらの穴３１ａ、３１ｂのそれぞれにテフロン（登録商標）製のパイプ３３ａ、３３ｂを接続した。ケーシング３１の壁には、穴３１ａ、３１ｂ以外に通気孔は設けなかった。
また、結晶３２の表面に温度センサー３７を配置し、温度センサー３７のリード線３７ａ、３７ｂをケーシング３１の底壁から外部に引き出した。
【００３３】
そして、図６に示すように、庫内底面５０に形成された冷気吹出口に冷蔵ゾーン用のファンの吹出口５１が結合された構造の冷蔵庫を準備し、このファンの吹出口５１にオゾン発生装置３０を置き、パイプ３３ａにエアーポンプ３５を接続し、他方のパイプ３３ｂにオゾン分析装置３６を接続した。さらに、温度センサー３７のリード線３７ａ、３７ｂに温度測定装置３８を接続した。
こうして、冷蔵庫の庫内を密閉して冷蔵庫を作動させるとともに、エアーポンプ３５からパイプ３３ａを通じてケーシング３１内に空気を送り込み、パイプ３３ｂから排出される空気中のオゾン濃度をオゾン分析装置３６によって測定した。また、この間の結晶３２の温度変化を温度測定装置３８によって測定した。
【００３４】
測定結果を図７のグラフに示す。図７中、（I）は結晶温度の変化を表すグラフであり、（II）は発生したオゾンの濃度の変化を表すグラフである。このグラフから、冷蔵庫の庫内の温度変化に伴って、オゾン発生装置３０から２ｐｐｂ程度のオゾンが継続的に発生することがわかった。
【００３５】
（実験２）
実験２のオゾン発生装置を図８に示した。実験２のオゾン発生装置４０は、ケーシングの大きさおよびＬｉＴａＯ３の単結晶の大きさと、ヒータを備えた点とが実験１のオゾン発生装置３０と異なるだけである。したがって、図８中、実験１のオゾン発生装置３０の構成要素に対応する構成要素には参照番号にダッシュを付して詳細な説明を省略する。
【００３６】
実験２では、内径２０ｍｍ、高さ１０ｍｍの内部空間を有するケーシング３１’と、直径１０ｍｍ、厚さ２ｍｍのＬｉＴａＯ３の単結晶３２’を使用した。また、電熱線４１を内蔵した１０ｍｍ×１０ｍｍの平板状ヒータ上に結晶３２’を配置し、電熱線４１のリード線４１ａ、４１ｂをケーシング３１’の外側に引き出した。
【００３７】
こうして、実験１と同じ冷蔵庫を準備し、オゾン発生装置４０を、実験１の場合と同様に、庫内底面５０のファンの吹出口５１に置き、パイプ３３ａ’にエアーポンプ３５を接続し、他方のパイプ３３ｂ’にオゾン分析装置３６を接続した。また、温度センサー３７のリード線３７ａ、３７ｂに温度測定装置３８を接続した。さらに、電熱線４１のリード線４１ａ、４１ｂに制御装置４２を介して電源（電池）４３を接続し、制御装置４２によって、ヒータ（電熱線４１）を所定の周期でＯＮ／ＯＦＦした。
【００３８】
そして、冷蔵庫の庫内を密閉して冷蔵庫を作動させるとともに、エアーポンプ３５からパイプ３３ａ’を通じてケーシング３１’内に空気を送り込みながら、ヒータ（電熱線４１）を５段階（下記（イ）〜（ホ））に分けて作動させ、各段階において、パイプ３３ｂ’から排出される空気中のオゾン濃度をオゾン分析装置３６によって測定し、同時に、結晶３２の温度変化を温度測定装置３８によって測定した。
（イ）ヒータ（電熱線）を作動させなかった。
（ロ）ヒータ（電熱線）に４Ｖの電圧を適用し、０．００５Ｈｚの周期で加熱および冷却を繰り返した。
（ハ）ヒータ（電熱線）に４Ｖの電圧を適用し、０．００１Ｈｚの周期で加熱および冷却を繰り返した。
（ニ）ヒータ（電熱線）に４Ｖの電圧を適用し、０．０１Ｈｚの周期で加熱および冷却を繰り返した。
（ホ）ヒータ（電熱線）に６Ｖの電圧を適用し、０．０１Ｈｚの周期で加熱および冷却を繰り返した。
【００３９】
測定結果を図９のグラフに示す。図９中、（イ）〜（ホ）の各領域は、上記（イ）〜（ホ）の各段階に対応しており、（I）は結晶温度の変化を表すグラフであり、（II）は発生したオゾンの濃度の変化を表すグラフである。このグラフから、異極像結晶３２’をヒータ（電熱線）によって強制的に温度昇降させた場合には、より大量のオゾンを継続的に発生させることができることがわかった。
【符号の説明】
【００４０】
１  冷蔵庫
２  第１の冷蔵室
３  第２の冷蔵室
４  第１の冷凍室
５  第２の冷凍室
６  断熱扉
７〜９  引出し
１０  第１の冷気通路
１１  第１の冷却器
１２  第１のファン
１３  第２の冷気通路
１４  第２の冷却器
１５  第２のファン
１６、１６’、１６”  オゾン発生装置
１７  ケーシング
１７ａ  上端壁
１７ｂ  下端壁
１８、１８’  異極像結晶
１９  環状壁
２０  冷気吹出口
２１  ケーシング
２２  通気孔
２３  異極像結晶
２４  電熱線
２４ａ、２４ｂ  リード線
３０  オゾン発生装置
３１、３１’  ケーシング
３１ａ、３１ａ'、３１ｂ、３１ｂ’  穴
３２、３２’  異極像結晶
３３ａ、３３ａ’、３３ｂ、３３ｂ’  パイプ
３４、３４’  フランジ
３５  エアーポンプ
３６  オゾン測定装置
３７  温度センサー
３７ａ、３７ｂ  リード線
３８  温度測定装置
４０  オゾン発生装置
４１  電熱線
４１ａ、４１ｂ  リード線
４２  制御装置
４３  電源
５０  庫内底面
５１  ファンの吹出口
【図１】
2010175129.tif 000003
【図２】
2010175129.tif 000004
【図３】
2010175129.tif 000005
【図４】
2010175129.tif 000006
【図５】
2010175129.tif 000007
【図６】
2010175129.tif 000008
【図８】
2010175129.tif 000009
【図９】
2010175129.tif 000010
【図１０】
2010175129.tif 000011
【図７】
2010175129.tif 000012